(57)【特許請求の範囲】
【請求項１】
光源と、前記光源から射出された光を画像情報に応じて変調する光変調装置と、を備えたプロジェクターであって、
複数のレンズを有し、前記光変調装置で変調された光を投写する投写レンズと、
外部からの光信号を受信し、受信した光信号に応じた電気信号を出力する受信部と、
当該プロジェクターの外装を構成する外装筐体と、
を備え、
前記投写レンズは、前記複数のレンズの中で最も光路後段に配置され、他のレンズの外径より大きな外径の前側レンズを有し、
前記外装筐体は、当該プロジェクターが据え置かれた姿勢で上側となる上面部を有し、  前記上面部には、前記前側レンズの周縁部の一部を覆うように膨出する膨出部が設けられ、
前記受信部は、前記投写レンズが光を投写する側とは反対側から入射する光信号を受信する向きで前記膨出部内に配置されることを特徴とするプロジェクター。
【請求項２】
請求項１に記載のプロジェクターであって、
前記受信部は、指向特性の中心軸が、前記膨出部から前記反対側に遠ざかる程、当該プロジェクターからの距離が大きくなるように傾斜していることを特徴とするプロジェクター。
【請求項３】
請求項１または請求項２に記載のプロジェクターであって、
前記受信部は、前記投写レンズに取り付けられることを特徴とするプロジェクター。
【請求項４】
請求項１〜請求項３のいずれか一項に記載のプロジェクターであって、
前記投写レンズは、前記膨出部の前記反対側に位置するフォーカス調整用およびズーム調整用の少なくともいずれか一方のレバーを備え、
前記レバーは、前記受信部の指向特性における受信感度が最も高い位置を含む所定の領域の外側に位置することを特徴とするプロジェクター。
【請求項５】
請求項１〜請求項４のいずれか一項に記載のプロジェクターであって、
前記受信部は、当該プロジェクターを遠隔操作するためのリモートコントローラーから発せられる光信号を受信することを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等の投写面に投写するプロジェクターが知られている。また、プロジェクターには、外部の機器と接続するための入力端子等が設けられており、見栄えの向上や入力端子等に塵埃等が付着しないように、この入力端子、および入力端子に接続されるケーブル等を覆うカバー部材を備えるプロジェクターが提案されている（例えば、特許文献１参照）。
【０００３】
特許文献１に記載されているカバー部材（電子機器筐体用カバー）は、略箱状に形成されたカバー本体を備えている。カバー本体は、カバー上面部、カバー側面部、カバー背面部、およびカバー底面部を備えている。そして、カバー上面部の幅方向略中央部分には、上方に突出する凸部が形成され、カバー上面部とカバー側面部とが交差する稜線部分には、稜線に沿って凹状にへこんだ凹部が形成されている。この凹部は、プロジェクターの背面側に設けられた受光部に対応して形成されており、受光部は、カバー部材がプロジェクターに取り付けられた場合でも、外部のリモートコントローラーからの操作信号を受信可能となっている。
【先行技術文献】
【特許文献】
【０００４】
【特許文献１】特開２００４−２０７４００号公報
【発明の概要】
【発明が解決しようとする課題】
【０００５】
しかしながら特許文献１のプロジェクターは、カバー部材に凸部、および凹部が設けられていることにより外装ケースとカバー部材との間に段差が生じ、外観の見栄えが必ずしも良好とはならず、また、外装ケースの背面にカバー部材の凹部を形成するための部位が侵入するため、この部位に接続端子等を配置することができないという課題がある。
また、外装ケースとカバー部材との間の段差を少なくし、受光部に対応する孔をカバー部材に形成した場合、受光部の指向性を考慮すると、孔が大きくなるため、見栄えが損なわれると共に、外部からの塵埃が容易に侵入するため、カバー部材の機能が損なわれることが考えられる。さらに、この孔に外部からの光信号を透過する光透過部材を配置する構成も考えられるが、部品点数が増加すると共に、カバー部材と光透過部材とが色や質感が異なるため、見栄えの向上が難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を画像情報に応じて変調する光変調装置と、を備えたプロジェクターであって、複数のレンズを有し、前記光変調装置で変調された光を投写する投写レンズと、外部からの光信号を受信し、受信した光信号に応じた電気信号を出力する受信部と、当該プロジェクターの外装を構成する外装筐体と、を備え、前記投写レンズは、前記複数のレンズの中で最も光路後段に配置され、他のレンズの外径より大きな外径の前側レンズを有し、前記外装筐体は、当該プロジェクターが据え置かれた姿勢で上側となる上面部を有し、前記上面部には、前記前側レンズの周縁部の一部を覆うように膨出する膨出部が設けられ、前記受信部は、前記投写レンズが光を投写する側とは反対側から入射する光信号を受信する向きで前記膨出部内に配置されることを特徴とする。
【０００８】
この構成によれば、プロジェクターは、外装筐体の上面部に前側レンズの周縁部の一部を覆うように膨出する膨出部が設けられ、受信部は、投写レンズが投写する側とは反対側から入射する光信号を受信する向きでこの膨出部に配置される。すなわち、投写レンズが投写する側を前側とすると、受信部は、プロジェクターの背面側から送信される光信号を受信するように配置される。これによって、プロジェクターの背面に入力端子等が設けられ、この入力端子に接続されるケーブル等を覆うケーブルカバーがプロジェクターの背面に取り付けられる構成であっても、背面側から受信部に向かう光信号がケーブルカバーによって遮られないようにできる。よって、ケーブルカバーに光信号を受信するための特別な形状（穴や凹み等）を設けることなく、また、光信号を透過する部材を用いてケーブルカバーを構成することなく、プロジェクターは、背面側から送信される光信号を受信部が確実に受信し、受信した信号に応じた動作や画像の投写が可能となる。また、受信部は、前側レンズに対応して形成された膨出部を利用して配置されるので、プロジェクターのデザイン性を損なうことなく、受信部を配置することが可能となる。
【０００９】
［適用例２］上記適用例に係るプロジェクターにおいて、前記受信部は、指向特性の中心軸が、前記膨出部から前記反対側に遠ざかる程、当該プロジェクターからの距離が大きくなるように傾斜していることが好ましい。
【００１０】
この構成によれば、受信部は、上述したように傾斜して配置されるので、プロジェクターが机上等に据え置かれた姿勢（据置き姿勢）では、プロジェクター後方の斜め上方からの光信号を中心に、据置き姿勢に対しプロジェクターが上下反転され、天井等に設置される姿勢（天吊り姿勢）では、プロジェクター後方の斜め下方からの光信号を中心に、受信することができる。
【００１１】
［適用例３］上記適用例に係るプロジェクターにおいて、前記受信部は、前記投写レンズに取り付けられることが好ましい。
【００１２】
この構成によれば、受信部は投写レンズに取り付けられるので、受信部と投写レンズとを一体的に製造した後に、外装筐体内に配置することができる。よって、プロジェクター製造の簡素化が可能となる。
【００１３】
［適用例４］上記適用例に係るプロジェクターにおいて、前記投写レンズは、前記膨出部の前記反対側に位置するフォーカス調整用およびズーム調整用の少なくともいずれか一方のレバーを備え、前記レバーは、前記受信部の指向特性における受信感度が最も高い位置を含む所定の領域の外側に位置することが好ましい。
【００１４】
この構成によれば、受信部の受信感度が高い領域に向かう光信号がレバーによって遮られることがないので、受信部は、フォーカス調整やズーム調整が行われても、確実に背面側からの光信号を受信することが可能となる。
【００１５】
［適用例５］上記適用例に係るプロジェクターにおいて、前記受信部は、当該プロジェクターを遠隔操作するためのリモートコントローラーから発せられる光信号を受信することが好ましい。
【００１６】
この構成によれば、プロジェクターの背面にケーブルカバーが取り付けられた場合であっても、プロジェクターの背面側に位置する画像の観察者によるリモートコントローラーの操作で、確実にプロジェクターを遠隔操作させることが可能となる。
【図面の簡単な説明】
【００１７】
【図１】本実施形態のプロジェクターを投写面側から見た外観図。
【図２】本実施形態のプロジェクターを投写面に対向する側から見た外観図。
【図３】本実施形態のプロジェクター内部の概略構成を示す模式図。
【図４】本実施形態の投写レンズおよび受信部を示す斜視図。
【図５】本実施形態の膨出部近傍のプロジェクターの断面図。
【図６】本実施形態におけるケーブルカバーが取り付けられたプロジェクター、およびプロジェクターの後方に位置するリモコンを示す図。
【発明を実施するための形態】
【００１８】
以下、本施形態に係るプロジェクターについて、図面を参照して説明する。
本実施形態のプロジェクターは、光源から射出された光を画像情報に応じて変調してスクリーン等の投写面に拡大投写する。また、本実施形態のプロジェクターは、外部の装置と接続するための入力端子等を備え、この入力端子、および入力端子に接続されるケーブル等を覆うケーブルカバーが着脱可能に構成されている。
【００１９】
〔プロジェクターの主な構成〕
図１は、本実施形態のプロジェクター１を投写面側から見た外観図である。図２は、プロジェクター１を投写面に対向する側から見た外観図である。図３は、プロジェクター１内部の概略構成を示す模式図である。なお、以下では、説明の便宜上、プロジェクター１から投写される投写光の方向を＋Ｙ方向（前方向）、プロジェクター１が机上等に据え置かれた姿勢（据置き姿勢）における上側を＋Ｚ方向（上方向）、据置き姿勢において、投写面に対向する側から見たプロジェクター１の右側を＋Ｘ方向として記載する。また、プロジェクター１は、据置き姿勢に対し、上下反転されて天井等に設置される姿勢（天吊り姿勢）での投写が可能に構成されている。
【００２０】
プロジェクター１は、図１〜図３に示すように、外装を構成する外装筐体２、制御部（図示省略）、光源装置３１を有する光学ユニット３、入力操作部４、複数の入力端子５、受信部６Ｆ，６Ｂ、および検出部７を備える。なお、図示は省略するが、外装筐体２の内部には、さらに、光学ユニット３等を冷却する冷却装置や、制御部等に電力を供給する電源装置等が配置されている。
【００２１】
外装筐体２は、合成樹脂製の部材が複数組み合わされて構成されており、図１に示すように、前面部２Ｆ、上面部２Ｕ、左側面部２Ｌ、右側面部２Ｒ、背面部２Ｂ、および底面部２Ｔを有している。
【００２２】
前面部２Ｆには、光学ユニット３からの投写光が通過する投写用開口部２ａ、受信部６Ｆ用の開口部２ｂ、および検出部７用の開口部２ｃが形成されている。
投写用開口部２ａは、左右方向（±Ｘ方向）において中央より左方（−Ｘ方向）寄りに設けられ、開口部２ｂ，２ｃは、投写用開口部２ａの右方（＋Ｘ方向）に、開口部２ｂが開口部２ｃの上方に位置して形成されている。
【００２３】
そして、開口部２ｂ内には、受信部６Ｆ（図３参照）が配置され、この開口部２ｂは、赤外光を透過し、可視光をカットするフィルター部材２１により閉塞される。
開口部２ｃ内には、検出部７（図３参照）が配置され、この開口部２ｃは、中央に孔が形成され、赤外光を透過し、可視光をカットするフィルター部材２２により閉塞される。なお、フィルター部材２１とフィルター部材２２とを一体的に形成してもよい。
【００２４】
上面部２Ｕは、プロジェクター１の据置き姿勢において、外装筐体２の上側を形成する部位である。上面部２Ｕには、上方に膨出する膨出部２０、凹部２ｄ、入力操作部４に備えられた複数の操作キーが配置される複数の開口部、およびランプ蓋２３が設けられている。
膨出部２０は、投写レンズ３６の後述する前側レンズ３６１の周縁部の一部を覆うように膨出し、投写用開口部２ａの周縁部の一部に繋がっている。膨出部２０は、図２に示すように、後側を向く傾斜面２０Ｓを有し、前後方向の大きさが、基端側より上端側が小さく形成されている。
【００２５】
凹部２ｄは、図２に示すように、膨出部２０の後方に形成されており、平面視矩形状に形成され、下方に向かう程、断面形状が小さくなるように、前後左右の側壁が傾斜している。そして、膨出部２０側の傾斜面は、膨出部２０の傾斜面２０Ｓに沿うように形成されている。この傾斜面２０Ｓには、開口部が設けられ、受信部６Ｂ（図３参照）は、この開口部の内側に配置される。そして、傾斜面２０Ｓの開口部は、赤外光を透過し、可視光をカットするフィルター部材２４により閉塞される。
【００２６】
また、凹部２ｄの底面には、開口部が形成されており、光学ユニット３の後述する投写レンズ３６に備えられたフォーカス調整用のレバー３６４Ｌは、この開口部から露出し、凹部２ｄ内に配置される。また、レバー３６４Ｌの先端は、上面部２Ｕから飛び出さないように形成されている。
ランプ蓋２３は、上面部２Ｕの背面側の右側端部寄りに設けられており、光源装置３１が交換される際に開閉される。
【００２７】
左側面部２Ｌには、図２に示すように、外気を取り込むための吸気口２ｉが設けられている。そして、吸気口２ｉの内側には、防塵フィルター２５が配置される。
右側面部２Ｒは、詳細な図示は省略するが、外装筐体２内部の暖まった空気を外部に排出する排気口が設けられている。
【００２８】
背面部２Ｂには、複数の孔が設けられ、この孔から複数の入力端子５の先端が露出する。そして、外部の画像出力装置（図示省略）等から出力される各種形式の情報は、入力端子５を介して制御部に送られる。
【００２９】
底面部２Ｔには、プロジェクター１が机上等に据え置かれる際に設置面に当接する脚部２６や、天井等に天吊りされる際に治具が取り付けられる取付部（図示省略）が設けられている。
また、脚部２６は、後側の左右端部近傍にそれぞれ配置される２つの脚部２６Ｂ（図２参照）、および前側の左右中央部に配置される脚部２６Ｆ（図１参照）を有している。
【００３０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。
【００３１】
光学ユニット３は、制御部による制御の下、光源装置３１から射出された光束を光学的に処理して投写する。
光学ユニット３は、図３に示すように、光源装置３１、インテグレーター照明光学系３２、色分離光学系３３、リレー光学系３４、光学装置３５、投写レンズ３６、およびこれらの部材を光路上の所定位置に配置する光学部品用筐体３７を備える。
【００３２】
光源装置３１は、図３に示すように、超高圧水銀ランプやメタルハライドランプ等からなる放電型の光源３１１、リフレクター３１２、光透過部材としての平行化レンズ３１３およびこれらの部材を収納する光源用筐体３１４等を備える。
光源装置３１は、光源３１１から射出された光束をリフレクター３１２にて反射した後、平行化レンズ３１３によって射出方向を揃え、インテグレーター照明光学系３２に向けて射出する。
【００３３】
インテグレーター照明光学系３２は、図３に示すように、第１レンズアレイ３２１、第２レンズアレイ３２２、偏光変換素子３２３、および重畳レンズ３２４を備える。
第１レンズアレイ３２１は複数の小レンズを備え、光源装置３１からの光を複数の部分光に分割する。第２レンズアレイ３２２および重畳レンズ３２４は、第１レンズアレイ３２１からの複数の部分光を集光し、光学装置３５の後述する光変調装置３５１に重ねあわせる。偏光変換素子３２３は、偏光分離膜と位相差板とを備え、光源装置３１から射出されたランダムな偏光方向の光を、所定の方向の偏光光に揃える。
【００３４】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３５】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３６】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００３７】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３８】
投写レンズ３６は、光軸３６Ａｘに沿って配置される複数のレンズを有して構成され、クロスダイクロイックプリズム３５２から射出された光をスクリーン上に拡大投写する。
図４は、投写レンズ３６および受信部６Ｂを示す斜視図である。図５は、膨出部２０近傍のプロジェクター１の断面図である。
【００３９】
投写レンズ３６は、図４、図５に示すように、複数のレンズの中で最も光路後段（最も前側）に位置する前側レンズ３６１、案内筒３６２、レンズ枠３６３、およびフォーカスリング３６４等を備える。
【００４０】
前側レンズ３６１は、短焦点および広角化に寄与するレンズであり、複数のレンズの中で最も外径が大きく形成されている。また、前側レンズ３６１は、下側の端部がカットされたような形状を有し、投写レンズ３６に入射する光は、前側レンズ３６１から上方に向かって射出される。プロジェクター１は、投写レンズ３６が短焦点および広角化に寄与する前側レンズ３６１を備える構成により、投写面に近接して配置される近接投写が可能に構成されている。
【００４１】
案内筒３６２は、図５に示すように、前側レンズ３６１の周縁部を保持する保持部３６２１を有し、前側レンズ３６１の光入射側に配置される複数のレンズ（図示省略）を収納する。
レンズ枠３６３は、保持部３６２１の周縁部を覆うように形成され、保持部３６２１に固定される。また、レンズ枠３６３は、前側レンズ３６１の周縁部を覆うことにもなる。レンズ枠３６３は、前面側の一部が外装筐体２から露出し、後側には受信部６Ｂが取り付けられる。すなわち、膨出部２０は、保持部３６２１およびレンズ枠３６３を介して前側レンズ３６１の周縁部の一部（周縁部の上側）を覆うことになる。受信部６Ｂの取り付け構造については、後で詳細に説明する。
【００４２】
フォーカスリング３６４は、筒状に形成され、外周面には、図４に示すように、上方に突出するレバー３６４Ｌが設けられている。このレバー３６４Ｌは、前述したように、外装筐体２の凹部２ｄ内、すなわち、膨出部２０の後方に配置される。そして、レバー３６４Ｌが把持されてフォーカスリング３６４が回転されると、フォーカス調整に寄与するレンズが移動してフォーカスが調整される。なお、本実施形態のプロジェクター１のズーム調整は、画像処理で画像の拡大、縮小を行う電子ズームであり、入力操作部４やプロジェクター１を遠隔操作するためのリモートコントローラー（リモコン）の操作によって行われる。
【００４３】
図１に戻って、入力操作部４は、第１操作部４１、第２操作部４２、および第３操作部４３を備える。
第１操作部４１は、投写された画像の表示の停止と再開とを切り替えるミュート切替キー４１ａを備える。ミュート切替キー４１ａは、押圧式であり、図１に示すように、膨出部２０の右方（＋Ｘ方向）に配置される。また、ミュート切替キー４１ａは、脚部２６Ｆの上方に位置し、操作される際に押圧されてもプロジェクター１がガタつかないような位置に配置されている。
【００４４】
第２操作部４２は、図１に示すように、ランプ蓋２３の左方（−Ｘ方向）に配置された複数の押圧式の操作キーを備える。具体的に、第２操作部４２は、電源のオン／オフを切り替える電源キー４２ａ、複数の入力端子５のうちのいずれかの入力端子５に切り替える入力切替キー４２ｂ、メニュー設定画像等を表示させるメニューキー４２ｃ、メニュー設定画像等で設定項目の選択等に用いられる４つのカーソルキー４２ｄ、選択された設定項目を決定する決定キー４２ｅ、一段階前の操作画面に戻るための戻るキー４２ｆ、トラブル対処方法示すためのヘルプキー４２ｇを備える。
【００４５】
第３操作部４３は、図１に示すように、凹部２ｄの後方に配置されたスライド式の台形歪補正キー４３ａを備える。
台形歪補正キー４３ａは、投写された画像が左辺と右辺とで長さが異なるように台形状に歪んだ画像を補正する際に操作される。台形歪補正キー４３ａは、左右方向にスライド可能に構成され、スライド量に応じて補正量が変わる。なお、投写された画像が上辺と下辺とで長さが異なるように台形状に歪んだ画像を補正する際には、４つのカーソルキー４２ｄのうちの２つのキーが利用される。
【００４６】
入力端子５としては、外部の装置（コンピューターやビデオプレーヤー等）からの画像信号や音声信号等を入力可能な入力端子（例えば、ＨＤＭＩ（登録商標）規格に準拠した端子、ビデオ端子、オーディオ端子等）等がある。
【００４７】
受信部６Ｆ，６Ｂは、リモコンから発せられる光信号（赤外光による操作信号）を受信し、受信した光信号に応じた電気信号を制御部に出力する。
受信部６Ｆは、前述したように、開口部２ｂ（図１参照）内に配置され、投写レンズ３６が光を投写する側から入射する光信号、すなわち、プロジェクター１の前方から入射する光信号を受信する。
受信部６Ｂは、投写レンズ３６が光を投写する側とは反対側から入射する光信号を受信する向きで膨出部２０（図１参照）内に配置される。すなわち、受信部６Ｂは、プロジェクター１の後方から入射する光信号を受信する。
【００４８】
検出部７は、詳細な図示は省略するが、図３に示すように、撮像部７１および送信部７２を備える。
撮像部７１は、例えば、ＣＣＤ（Charge Coupled Device）やＣＭＯＳ（Complementary Metal Oxide Semiconductor）等の撮像素子（図示省略）を備え、被写体としての投写面を撮影する。また、撮像部７１は、投写面上で操作された指示具（例えば、電子ペン等）から発せられる赤外光を検出し、検出した情報を制御部に出力する。制御部は、撮像部７１の検出結果に基づいて、画像情報に指示具の軌跡が重畳された重畳画像を投写面に投写させる。
【００４９】
送信部７２は、投写面上で操作される指示具を制御するために、光信号（赤外光による信号）を周期的に発する。指示具は、送信部７２から発せられた光信号に同期して赤外光を発する。
【００５０】
〔受信部の構成〕
ここで、受信部６Ｂの構成、および受信部６Ｂの取り付け構造について、図４、図５を参照して説明する。
受信部６Ｂは、受光素子６１、および受光素子６１が実装される回路基板６２を備え、前述したように、レンズ枠３６３に取り付けられる。
レンズ枠３６３は、図５に示すように、保持部３６２１の後方（−Ｙ方向）に位置する立壁部３６３ａを有し、立壁部３６３ａには、斜め上方に突出する突起部３６３ｂが形成されている。
【００５１】
受信部６Ｂは、回路基板６２に設けられた孔（図示省略）にネジが挿通されて、突起部３６３ｂに固定される。すなわち、受信部６Ｂは、前側レンズ３６１の上側周縁部の後方（−Ｙ方向）に固定される。
そして、受信部６Ｂは、プロジェクター１の据置き姿勢において、プロジェクター後方の斜め上方からの光信号を受信するように配置される。具体的に、受光素子６１は、指向特性を有し、図５に示すように、指向特性の中心軸６Ａｘ、すなわち、光信号の受信可能な受信領域の中心が、膨出部２０から後方に遠ざかる程、プロジェクター１からの距離が大きくなるように傾斜して配置される。換言すると、受信部６Ｂは、プロジェクター１の据置き姿勢において、後側が斜め上方に傾斜する中心軸６Ａｘを中心に光信号を受信するように配置される。本実施形態の受信部６Ｂは、Ｘ−Ｙ平面に対する中心軸６Ａｘの角度（取付け角度）が約３０°となるように、レンズ枠３６３に取り付けられる。
【００５２】
また、受光素子６１は、中心軸６Ａｘでの受信感度が最も高く、この中心軸６Ａｘからの角度が大きくなる程、受信感度が低くなる。具体的には、本実施形態の受光素子６１は、中心軸６Ａｘにおける受信可能な距離に対し、受信可能な距離が半減する指向角θ（図５参照）が約３０°の素子が用いられている。そして、受信部６Ｂは、中心軸６Ａｘを中心とする指向角θ内の領域（以下、「受信領域Ｒａ」という）が上面部２Ｕの上方に位置するように配置される。上面部２Ｕから飛び出さないレバー３６４Ｌは、言うまでもなく、この所定の領域（受信領域Ｒａ）の外側に位置することとなる。
なお、３０°以外の取付け角度で受信部６Ｂを取り付けるように構成してもよい。また、受光素子６１として、指向角θが３０°以外の素子を用いてもよい。
【００５３】
また、受信部６Ｂは、図４に示すように、ケーブルＣＡを介して制御部に接続される。そして、受信部６Ｂは、プロジェクター１の後方のユーザーによって操作されるリモコンから送信された光信号を受光素子６１が受信し、受信した光信号に応じた電気信号を制御部に出力する。制御部は、受信部６Ｂから出力された電気信号に基づいてプロジェクター１を制御する。
【００５４】
図６は、ケーブルカバー１０が取り付けられたプロジェクター１、およびプロジェクター１の後方に位置するリモコンＲＣを示す図である。
ケーブルカバー１０は、プロジェクター１の背面部２Ｂ（図２参照）に取り付けられ、複数の入力端子５（図２参照）および入力端子５に接続されたケーブル（図示省略）を覆う。
ケーブルカバー１０は、図６に示すように、プロジェクター１の上面部２Ｕ、左側面部２Ｌ、右側面部２Ｒ、底面部２Ｔそれぞれに倣うように形成された上面部１０Ｕ、左側面部１０Ｌ、右側面部１０Ｒ、底面部１０Ｔ、および背面部１０Ｂを有し、箱状に形成されている。すなわち、ケーブルカバー１０は、プロジェクター１に取り付けられた状態で、外観上、プロジェクター１（外装筐体２）と一体化するように形成されている。
【００５５】
膨出部２０は、ケーブルカバー１０がプロジェクター１に取り付けられた状態でも、上面部１０Ｕから突出した状態となり、上面部２Ｕの上方に位置する受信領域Ｒａ（図５参照う）は、上面部１０Ｕに対しても上方に位置することとなる。すなわち、ケーブルカバー１０がプロジェクター１に取り付けられた場合でも、ケーブルカバー１０が取り付けられていない場合と同様に、ユーザーはプロジェクター１の後方からリモコンＲＣによるプロジェクター１の遠隔操作ができる。
【００５６】
なお、受信部６Ｆは、受信部６Ｂと同様に構成されており、プロジェクター１の前方から入射するリモコンＲＣの光信号を受信できる向きで配置されている。すなわち、受信部６Ｆは、プロジェクター１の側方や、前方等に位置するリモコンＲＣから発せられ、投写面等によって反射された光信号を受信する。
【００５７】
また、受信部６Ｆ，６Ｂは、他のプロジェクター１における検出部７の送信部７２から発せられた光信号を受信し、受信した光信号に応じた電気信号を制御部に出力する。そして、例えば、複数のプロジェクター１を用い、各プロジェクター１において、指示具による操作が行われる場合等に、各プロジェクター１は、受信部６Ｆ，６Ｂが受信した結果に基づいて指示具を制御するための信号の同期を行う。これによって、各プロジェクター１は、指示具による誤動作が防止され、安定して指示具を用いた画像を投写することができる。
【００５８】
図示は省略するが、プロジェクター１は、治具（図示省略）を介して天井等に天吊り姿勢で設置される。受信部６Ｂは、プロジェクター１の天吊り姿勢において、後側が斜め下方に傾斜する中心軸６Ａｘを中心に光信号を受信するように配置される。
【００５９】
以上説明したように、本実施形態のプロジェクター１によれば、以下の効果を得ることができる。
（１）プロジェクター１は、膨出部２０内に配置される受信部６Ｂを有している。これによって、ユーザーは、プロジェクター１にケーブルカバー１０が取り付けられた場合でも、ケーブルカバー１０が取り付けられていない場合と同様に、プロジェクター１の後方からリモコンＲＣによるプロジェクター１の遠隔操作ができる。
また、ケーブルカバー１０は、光信号を受信するための穴や凹み等の特別な形状や、光信号を透過する部材等が設けられることなく、外観上、プロジェクター１（外装筐体２）と一体化するように形成されている。よって、プロジェクター１は、ケーブルカバー１０が取り付けられた場合でもデザイン性の向上が可能となる。また、受信部６Ｂは、前側レンズ３６１に対応して形成された膨出部２０を利用して配置されるので、プロジェクター１のデザイン性を損なうことなく、受信部６Ｂを配置することが可能となる。
【００６０】
（２）受信部６Ｂは、前述したように傾斜して配置されるので、プロジェクター１が机上等に据え置かれた据置き姿勢では、プロジェクター１後方の斜め上方からの光信号を中心に、天吊り姿勢では、プロジェクター後方の斜め下方からの光信号を中心に受信する。よって、受信部６Ｂは、プロジェクター１の据置き姿勢および天吊り姿勢において、投写される画像の観察者によるリモコンＲＣの操作で、発信される光信号を確実に受信することが可能となる。
【００６１】
（３）受信部６Ｂは、レンズ枠３６３に取り付けられるので、受信部６Ｂと投写レンズ３６とを一体的に製造した後に、外装筐体２内に配置することができる。よって、受信部６Ｂに接続されるケーブルＣＡの配線処理等が簡単になり、プロジェクター１製造の簡素化が可能となる。
【００６２】
（４）レバー３６４Ｌは、受信領域Ｒａの外側に位置しているので、受信部６Ｂは、フォーカス調整が行われても、確実に背面側からの光信号を受信することが可能となる。
【００６３】
（５）受信部６Ｆ，６Ｂは、他のプロジェクター１における検出部７の送信部７２から発せられた光信号を受信し、受信した光信号に応じた電気信号を制御部に出力する機能を有している。これによって、ケーブルカバー１０が取り付けられた複数のプロジェクター１を指示具を用いて使用する場合においても、確実に各プロジェクター１の指示具を制御するための信号の同期を確実に行うことが可能となる。
【００６４】
（変形例）
なお、前記実施形態は、以下のように変更してもよい。
前記実施形態のプロジェクター１は、検出部７を備えているが、検出部７を備えないプロジェクターであってもよい。
【００６５】
前記実施形態の受信部６Ｂは、リモコンＲＣや検出部７における送信部７２が発する光信号を受信するように構成されているが、リモコンＲＣや送信部７２以外の装置が発する光信号を受信するように受信部６Ｂを構成してもよい。
【００６６】
前記実施形態の受信部６Ｂは、投写レンズ３６に取り付けられるように構成されているが、外装筐体２、例えば、外装筐体２におけるフィルター部材２４が配置される部材に、受信部６Ｂを取り付けるように構成してもよい。
【００６７】
前記実施形態では、受信部６Ｂが前側レンズ３６１の上側周縁部の後方（−Ｙ方向）に配置されるように構成されているが、受信部６Ｂが前側レンズ３６１の上側周縁部の上方（＋Ｚ方向）に配置されるように構成してもよい。
【００６８】
前記実施形態のプロジェクター１は、ズーム調整を電子ズームで行うように構成されているが、投写レンズ３６にズーム調整できるズーム調整機構を盛り込むように構成してもよい。そして、ズーム調整機構にズーム調整用のレバーを設け、受信領域Ｒａの外側にこのレバーが位置するように構成してもよい。
【００６９】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００７０】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００７１】
光源装置３１は、放電型の光源３１１を用いたものに限らず、その他の方式の光源や発光ダイオード、レーザー等の固体光源で構成してもよい。
【符号の説明】
【００７２】
１…プロジェクター、２…外装筐体、２Ｕ…上面部、３…光学ユニット、６Ａｘ…中心軸、６Ｂ…受信部、７…検出部、１０…ケーブルカバー、２０…膨出部、２０Ｓ…傾斜面、２１，２２，２４…フィルター部材、２６，２６Ｂ，２６Ｆ…脚部、３１…光源装置、３６…投写レンズ、６１…受光素子、６２…回路基板、７１…撮像部、７２…送信部、３１１…光源、３５１，３５１Ｂ，３５１Ｇ，３５１Ｒ…光変調装置、３６１…前側レンズ、３６３…レンズ枠、３６４…フォーカスリング、３６４Ｌ…レバー、ＲＣ…リモートコントローラー（リモコン）。
【図１】
0006344092.tif 000002
【図２】
0006344092.tif 000003
【図３】
0006344092.tif 000004
【図４】
0006344092.tif 000005
【図５】
0006344092.tif 000006
【図６】
0006344092.tif 000007